(57)【特許請求の範囲】
【請求項１】
二枚板状の可動電極が両側から固定電極を弾性挟着して閉路状態を維持する開閉器の電極構造において、
前記可動電極の閉路時における固定電極との接触部位を、前側接触部と後側接触部との二股状に分割し、この可動電極を補強して閉路時の接触圧を保持させる補強支持片及び補助支持片を備えた補強部材を可動電極の外側から重ね合わせ、前記補強支持片を前側接触片に沿うように延出すると共に、前記補強支持片の先端から前記補助支持片を可動電極の基端側へ延び、後側接触片に対応するように連続形成し、前側接触部を後側接触部よりも強く補強支持するように構成した開閉器の電極構造。
【請求項２】
二枚板状の可動電極が両側から固定電極を弾性挟着して閉路状態を維持する開閉器の電極構造において、
前記可動電極の閉路時における固定電極との接触部位を、前側接触部と後側接触部との二股状に分割し、この可動電極を補強して閉路時の接触圧を保持させる補強部材を可動電極の外側から重ね合わせ、前側接触部を後側接触部よりも強く補強支持するか、又は同後側接触部を支持しないように構成し、前記補強部材には、その反接触部位側の背部に補強リブを形成すると共に、その接触部位側において、前記前側接触部に対応する部分のみに補強支持部材を設け、その基端部を可動電極側へ折り曲げ形成して弾性を付与した開閉器の電極構造。
【請求項３】
前記補強支持部材の先端部を、前記前側接触部における固定電極との接触部位に臨ませ、同部位のみを補強支持するようにした請求項２に記載の開閉器の電極構造。
【請求項４】
前記補強支持部材の先端から補強部材の基端側へ補助支持部材を突設し、後側接触部の固定電極との接触部位を補強支持するようにした請求項３に記載の開閉器の電極構造。
【発明の詳細な説明】
【０００１】
【発明の属する技術分野】
本発明は、固定電極に対して一対の接触刃が接離可能に対応する開閉器の電極構造に関するものである。
【０００２】
【従来の技術】
図１１に示すように、開閉器の本体ケースにおける両側壁には互いに対向するブッシング５１，５２が貫通支持されている。一方のブッシング５１の内端には固定電極５３が設けられており、他方のブッシング５２の内端には導電棒５４を介して可動電極５５が回動可能に軸５６着されている。図１２に示すように、可動電極５５は一対の接触刃５５ａ，  ５５ｂからなり、両接触刃５５ａ，  ５５ｂには補強部材５７ａ，  ５７ｂがそれぞれ外側から重ね合わせられている。この補強部材５７ａ，  ５７ｂは両接触刃５５ａ，  ５５ｂを補強して投入時の固定電極５３に対する接触圧を保持するためのものである。図１３に示すように、補強部材５７ａ，  ５７ｂの形状はそれぞれ両接触刃５５ａ，  ５５ｂとほぼ同一となっている。このため、両接触刃５５ａ，  ５５ｂは両補強部材５７ａ，  ５７ｂにより全面に亘ってほぼ同一の力で補強される。
【０００３】
図１１及び図１２に示すように、両接触刃５５ａ，  ５５ｂはそのほぼ中央部において連結軸５８により互いに連結されている。両接触刃５５ａ，  ５５ｂは、両補強部材５７ａ，  ５７ｂと軸ピン５６の頭との間に介装されたコイルバネ６１，  ６１、及び両補強部材５７ａ，  ５７ｂと連結軸５８の頭との間に介装されたコイルバネ６２の弾性力により、固定電極５３に対して両側から挟圧接触可能になっている。また、両接触刃５５ａ，５５ｂは両バネ６１，  ６２の弾性力に抗して軸ピン５６及び連結軸５８に沿って互いに離間する方向へ移動可能に構成されている。前記連結軸５８はリンク５９及びレバー６０を介して外部操作可能な開閉機構部（図示略）に作動連結されており、同開閉機構部の駆動に伴って、可動電極５５は図１１に二点鎖線で示す投入位置と実線で示す開放位置との間を移動する。
【０００４】
可動電極５５が前記開放位置にあるとき、両接触刃５５ａ，  ５５ｂは前記両バネ６１，６２の弾性力により互いに近接する方向に付勢され、両接触刃５５ａ，  ５５ｂ間の距離は固定電極の幅よりも若干狭くなっている。この状態で、前記開閉機構部が投入駆動されてリンク５９が押し下げられると、両接触刃５５ａ，  ５５ｂは軸ピン５６を回動支点として投入方向へ回動する。そして、両接触刃５５ａ，  ５５ｂは固定電極５３との摺接に基づいて両バネ６１，６２の弾性力に抗して軸ピン５６及び連結軸５８に沿って拡開する。両接触刃５５ａ，  ５５ｂがさらに投入方向へ回動されて前記投入位置まで移動すると、両接触刃５５ａ，  ５５ｂは両バネ６１，６２の弾性力により固定電極５３の両側面にそれぞれ平行状態で接触する。このため、両接触刃５５ａ，  ５５ｂは固定電極５３に対して均等な接触圧にて接触すると共に、所定の通電面積が確保される。
【０００５】
しかしながら、前記開閉器の電極構造においては、両接触刃５５ａ，  ５５ｂを互いに近接する方向に付勢するコイルバネ６１，６２が必要であるため、構成が複雑になるという問題があった。
【０００６】
そこで、この問題を解決するために、図１４に示すような開閉器の電極構造が従来から提案されている。即ち、この開閉器の電極構造においては前記両バネ６１，６２が省略されていると共に、両接触刃５５ａ，  ５５ｂの間隔が固定電極５３の幅よりも若干狭くなるように設定されている。そして、両接触刃５５ａ，  ５５ｂ自身が有する弾性力及び両補強部材５７ａ，  ５７ｂからの弾性力により、両接触刃５５ａ，  ５５ｂが固定電極５３に対して所定の接触圧にて接触するようにしている。
【０００７】
【発明が解決しようとする課題】
ところが、前記従来の開閉器の電極構造には次のような問題があった。
即ち、両接触刃５５ａ，  ５５ｂにおいて、固定電極５３との接触部位は互いに連結されておらず、連結軸５８から所定距離だけ離れている。また、両接触刃５５ａ，  ５５ｂの間隔は固定電極５３の幅よりも若干狭くなるように設定されている。このため、投入時、両接触刃５５ａ，  ５５ｂは固定電極５３の先端部に摺接すると共に、連結軸５８を支点として互いに離間する方向に湾曲する。この両接触刃５５ａ，  ５５ｂの互いに離間する方向への変位量は先端に向かうほど大きくなる。この結果、両接触刃５５ａ，  ５５ｂは固定電極５３の先端部のみと接触し、両接触刃５５ａ，  ５５ｂの先端部と固定電極５３との間には所定の隙間が形成される。即ち、両接触刃５５ａ，  ５５ｂの固定電極５３に対する接触圧は、先端に向かうにつれて小さくなる。
【０００８】
従って、両接触刃５５ａ，  ５５ｂの固定電極５３との接触面に、同両接触刃５５ａ，  ５５ｂ自身の弾性力及び補強部材５７ａ，  ５７ｂの弾性力が均等に作用せず、両接触刃５５ａ，  ５５ｂの固定電極５３に対する接触圧が不均一になるという問題があった。また、両接触刃５５ａ，  ５５ｂの先端側と固定電極５３との間に隙間が形成されることにより、十分な接触面積（通電面積）が確保できないという問題があった。
【０００９】
本発明は前記問題点を解決するためになされたものであって、その目的は、簡単な構成で接触刃を固定電極に対して均等な接触圧にて接触させることができる開閉器の電極構造を提供することにある。
【００１０】
【課題を解決するための手段】
請求項１に記載の発明は、二枚板状の可動電極が両側から固定電極を弾性挟着して閉路状態を維持する開閉器の電極構造において、前記可動電極の閉路時における固定電極との接触部位を、前側接触部と後側接触部との二股状に分割し、この可動電極を補強して閉路時の接触圧を保持させる補強支持片及び補助支持片を備えた補強部材を可動電極の外側から重ね合わせ、前記補強支持片を前側接触片に沿うように延出すると共に、前記補強支持片の先端から前記補助支持片を可動電極の基端側へ延び、後側接触片に対応するように連続形成し、前側接触部を後側接触部よりも強く補強支持するように構成したことをその要旨とする。
【００１１】
請求項２に記載の発明は、二枚板状の可動電極が両側から固定電極を弾性挟着して閉路状態を維持する開閉器の電極構造において、前記可動電極の閉路時における固定電極との接触部位を、前側接触部と後側接触部との二股状に分割し、この可動電極を補強して閉路時の接触圧を保持させる補強部材を可動電極の外側から重ね合わせ、前側接触部を後側接触部よりも強く補強支持するか、又は同後側接触部を支持しないように構成し、前記補強部材には、その反接触部位側の背部に補強リブを形成すると共に、その接触部位側において、前記前側接触部に対応する部分のみに補強支持部材を設け、その基端部を可動電極側へ折り曲げ形成して弾性を付与したことをその要旨とする。
【００１２】
請求項３に記載の発明は、請求項２に記載の発明において、前記補強支持部材の先端部を、前記前側接触部における固定電極との接触部位に臨ませ、同部位のみを補強支持するようにしたことをその要旨とする。
【００１３】
請求項４に記載の発明は、請求項３に記載の発明において、前記補強支持部材の先端から補強部材の基端側へ補助支持部材を突設し、後側接触部の固定電極との接触部位を補強支持するようにしたことをその要旨とする。
（作用）
従って、請求項１に記載の発明においては、前側接触部が後側接触部よりも強く補強部材により補強支持される。即ち、投入時、互いに離間する方向への変位量が後側接触部に比べて大きな前側接触部は、同前側接触部に比べて互いに離間する方向への変位量が小さな後側接触部よりも強く補強支持される。このため、投入時における前側接触部の変位量と後側接触部の変位量とのバランスがとれ、両接触部の変位量がほぼ同じになる。
【００１４】
請求項２に記載の発明においては、請求項１に記載の発明の作用に加えて、投入時、前側接触部は補強部材の弾性力により固定電極側へ付勢され、同前側接触部の互いに離間する方向への変位が規制される。後側接触部は補強部材からの弾性力が作用せず、投入時には互いに離間する方向へ変位する。このため、補強支持部材を折り曲げるという簡単な構成で、投入動作に伴う前側接触部の変位量と後側接触部の変位量とのバランスをがとられる。
【００１５】
請求項３に記載の発明においては、請求項２に記載の発明の作用に加えて、前記補強支持片の先端部により、前記前側接触部の固定電極との接触部位のみが補強支持される。
【００１６】
請求項４に記載の発明においては、請求項３に記載の発明の作用に加えて、後側接触片の固定電極との接触部位は補助支持片により補強支持される。この補助支持片による支持力は前記補強支持片による支持力よりも弱くなる。
【００１７】
【発明の実施の形態】
以下、本発明を開閉器の電極構造に具体化した一実施形態を図１〜図７に従って説明する。
（全体構成）
図１に示すように、開閉器の本体ケースの互いに対向する両側壁１０ａ，  １０ｂには電源側ブッシング１１及び負荷側ブッシング１２が３相各相毎に互いに対向するように貫通支持されている。図１及び図４に示すように、電源側ブッシング１１の内端には断面略八角形状の固定電極１３が突設されている。固定電極１３の上部において、長手方向に沿う両側の一対のテーパ面は案内面１３ａとされている。また、固定電極１３の中央両側面は通電接触面１３ｂとされている。
【００１８】
図１に示すように、負荷側ブッシング１２の内端部には導電棒１４が突設されており、同導電棒１４には軸ピン１５を介して二枚板状の可動電極１６の基端部が回動可能に支持されている。図２及び図３に示すように、可動電極１６は一対の平板状の接触刃１６ａ，  １６ｂ、及び両接触刃１６ａ，  １６ｂの外側からそれぞれ重ね合わせられた平板状の補強部材１７ａ，  １７ｂを備えている。両接触刃１６ａ，  １６ｂ及び両補強部材１７ａ，  １７ｂのほぼ中央部には連結軸１８が挿通され、一体回動可能となっている。
【００１９】
図１に示すように、前記連結軸１８には駆動リンク１９の一端が回動可能に連結されており、同駆動リンク１９の他端には外部操作可能とされた開閉機構部（図示略）に作動連結されたレバー２０の先端が回動可能に連結されている。従って、前記可動電極１６は、前記開閉機構部の駆動に伴って、軸ピン１５を中心に図１に実線で示す投入位置と二点鎖線で示す開放位置との間を移動する。
【００２０】
（接触刃）
図１に示すように、前記両接触刃１６ａ，１６ｂの先端部、即ち投入時における固定電極１３との接触部位には、投入時において固定電極１３の軸線に対してほぼ直角に交差する接触部２１が設けられている。接触部２１には、そのほぼ中央に形成されたスリット２２を介して前側接触片２３及び後側接触片２４が二股状に分割形成されている。図２及び図３に示すように、この前後両接触片２３，２４の内側面、即ち接触部２１の内側面はそれぞれ投入時において前記固定電極１３の通電接触面１３ｂに対して接触する通電面２１ａとされている。
【００２１】
（補強部材）
図３〜図５に示すように、前記両補強部材１７ａ，  １７ｂの先端部には、それぞれＪ字状をなす補強支持部材３０が設けられており、同補強支持部材３０は基端の補強支持片３１及び先端の補助支持片３２を備えている。補強支持片３１は前側接触片２３に沿うように下方に延出されている。補助支持片３２は補強支持片３１の先端から補強部材１７ａ，  １７ｂの基端側へ延び、後側接触片２４に対応するように連続して形成されている。前記補強支持片３１は、その基端部の折曲線３３を境にそれぞれ両接触刃１６ａ，  １６ｂ側に若干折り曲げられている。この折曲線３３は両補強部材１７ａ，  １７ｂの前端から後端に向かって上方から下方に傾く直線である。
【００２２】
前記補強支持片３１及び補助支持片３２の補強部材１７ａ，  １７ｂの内壁から両接触刃１６ａ，  １６ｂ側への変位量は、同補強支持片３１の方が大きく、補助支持片３２の方が小さくなっている。補強支持片３１及び補助支持片３２が接触刃１６ａ，  １６ｂに重ね合わされたとき、補強支持片３１は前側接触片２３をより強く、補助支持片３２は後側接触片２４をそれよりは弱く外側から押圧することになる。また、両補強部材１７ａ，  １７ｂの上部、即ち両補強部材１７ａ，  １７ｂの反接触部位側の背部には補強リブ３４が所定の区間に亘って形成されており、同リブ３４はその基端を境に両接触刃１６ａ，  １６ｂ側に折り曲げられている。補強リブ３４の折り曲げ量は両接触刃１６ａ，  １６ｂの肉厚とほぼ同じ程度とされている。この補強リブ３４は、閉路時に両接触刃１６ａ，  １６ｂの先端部が開くのを防止するための剛性を確保するためのものである。
【００２３】
図２及び図６に示すように、両接触刃１６ａ，  １６ｂに両補強部材１７ａ，  １７ｂがそれぞれ外側から重ね合わせられた状態において、前後両接触片２３，２４には補強支持片３１及び補助支持片３２の補強部材１７ａ，  １７ｂの内壁からの変位量に応じた弾性力が外側から作用している。即ち、前側接触片２３には後側接触片２４よりも強い弾性力が作用している。前後両接触片２３，２４はそれぞれ補強支持片３１及び補助支持片３２の弾性力により両接触刃１６ａ，  １６ｂ側に付勢されている。
【００２４】
このように、両補強部材１７ａ，  １７ｂは両接触刃１６ａ，  １６ｂを補強支持する機能だけではなく、両接触刃１６ａ，  １６ｂをそれぞれ内側（固定電極１３側）に付勢する板バネとしての機能も有している。そして、投入状態において、両接触刃１６ａ，  １６ｂの通電面２１ａは補強部材１７ａ，  １７ｂの弾性力に基づき所定の接触圧で固定電極１３の通電接触面１３ｂを両側から接触状態で挟圧する。即ち、両接触刃１６ａ，  １６ｂが固定電極１３を外側から弾性挟着することにより開閉器の閉路状態が維持される。
（実施形態の作用）
次に、前述のように構成された開閉器の電極構造の作用を説明する。尚、図１及び図６に示すように、開閉器が開放状態であるとき、前後両接触片２３，２４はそれぞれ補強支持片３１及び補助支持片３２により固定電極１３側に付勢されており、両接触刃１６ａ，  １６ｂ間の距離は固定電極１３の幅よりも若干狭くなっている。
【００２５】
この状態から、前記開閉機構部が駆動されると、レバー２０及び駆動リンク１９を介して、接触刃１６ａ，  １６ｂが軸ピン１５を回動支点として投入方向、即ち図１における左側へ回動する。すると、両接触刃１６ａ，  １６ｂの接触部２１は固定電極１３の案内面１３ａとの摺接に伴って拡開される。このとき、前後両接触片２３，  ２４が連結軸１８を支点に互いに離間する方向へ湾曲変位しようとするものの、この変位は前記補強支持片３１及び補助支持片３２の固定電極１３側への弾性力により規制される。従って、両接触片２３，２４の先端部が開くことはない。
【００２６】
前記補強支持片３１及び補助支持片３２が両接触片２３，２４に与える弾性力は、補強支持片３１よりも補助支持片３２側が小さくなっており、投入時における前後両接触片２３，  ２４が互いに離間する長さの大きさに対応している。即ち、最も大きく変位しようとする前側接触片２３は補強支持片３１の弾性力により接触刃１６ａ，  １６ｂ側へより強く押さえ込まれ、同前側接触片２３に比べて小さく変位する後側接触片２４は補助支持片３２の弾性力により弱く接触刃１６ａ，  １６ｂ側へ押さえ込まれる。この結果、投入動作に伴う前後両接触片２３，  ２４の互いに離間する方向への移動量はほぼ同じになり、前後両接触片２３，  ２４はほぼ平行状態で固定電極１３を挟み付けることになる。
【００２７】
両接触刃１６ａ，  １６ｂがさらに左方向へ回動すると、接触部２１の通電面２１ａは固定電極１３の通電接触面１３ｂにそれぞれ両側からほぼ平行に且つ所定の接触圧にて接触する。そして、両接触刃１６ａ，  １６ｂが図１及び図７に示す投入位置まで移動すると投入終了となる。この投入状態において、接触部２１の通電面２１ａは固定電極１３の通電接触面１３ｂに対して外側からほぼ平行状態で接触している。このため、通電面２１ａは、両接触刃１６ａ，  １６ｂ自身の弾性力及び両補強部材１７ａ，  １７ｂの弾性力により、通電接触面１３ｂに対して均等な接触圧にて接触する。また、通電面２１ａと通電接触面１３ｂとの接触対応領域の全面に亘って両面２１ａ，  １３ｂが互いに接触するため、十分な通電面積が確保される。尚、開放時には前述とは逆の動作が行われる。
【００２８】
従って、本実施形態によれば、以下の効果を得ることができる。
（１）補強支持片３１及び補助支持片３２の弾性力に強弱をつけ、前側接触片２３を後側接触片２４よりも強く補強支持するようにした。このため、最も変位量の大きい前側接触片２３と同前側接触片２３よりは変位量の小さい後側接触片２４の変位量のバランスがとれる。そして、投入動作時、両接触刃１６ａ，  １６ｂは固定電極１３に対して互いに離間する方向へほぼ平行に変位し、固定電極１３に対して均等な接触圧にて接触する。従って、前側接触片２３と後側接触片２４とを同じ弾性力にて補強支持した場合と異なり、通電面２１ａと通電接触面１３ｂとの接触対応領域の全面に亘って両者２１ａ，  １３ｂが互いに接触し、十分な接触面積を確保することができる。
【００２９】
（２）両補強部材１７ａ，  １７ｂの一部を内側に折り曲げて両接触刃１６ａ，  １６ｂの外側から重ね合わせることにより、両接触刃１６ａ，  １６ｂに所定の弾性力が作用するようにした。このため、両接触刃１６ａ，  １６ｂを互いに近接する方向に付勢するバネ構造等が不要となる。従って、可動電極１６の構成を簡単にすることができる。
【００３０】
（３）両補強部材１７ａ，  １７ｂの折曲線３３が、両補強部材１７ａ，  １７ｂの前端から後端に向かって上方から下方に傾く直線となるようにした。このため、補強支持片３１及び補助支持片３２の補強部材１７ａ，  １７ｂの内壁からの変位量は、同補強支持片３１の方が大きく、補助支持片３２の方が小さくなっている。従って、補強支持片３１及び補助支持片３２の両接触刃１６ａ，  １６ｂに作用する弾性力の強さを、投入動作に伴う両接触刃１６ａ，  １６ｂの互いに離間する長さの大きさに対応させることができる。
【００３１】
尚、前記実施形態は以下のように変更して実施してもよい。
・前記接触部２１を図８に示すように形成してもよい。即ち、補助支持片３２を省略すると共に、補強支持片３１を両接触刃１６ａ，  １６ｂの前側接触片２３と同一形状にする。そして、補強支持片３１の先端部を、前記前側接触片２３における固定電極１３との接触部位に臨ませ、同部位のみを補強支持するように構成する。尚、図８では一方の補強部材１７ｂのみを図示する。このようにすれば、後側接触片２４は補強支持されず、最も大きく変位しようとする前側接触片２３の固定電極１３との接触部位を効率的に強く補強支持することができる。
【００３２】
・前記接触部２１を図９に示すように形成してもよい。即ち、補助支持片３２を補強支持片３１の先端部に、同補強支持片３１とでＬ字状をなすように延出形成する。尚、図９では一方の補強部材１７ｂのみを図示する。このようにしても、前側接触片２３は強く、後側接触片２４は弱く補強支持される。従って、投入動作に伴う前側接触片２３及び後側接触片２４の移動量のバランスをとることができる。
【００３３】
・接触部２１を図１０（ａ），  （ｂ）に示すように形成してもよい。即ち、補強支持片３１を内側へ折り曲げず、補助支持片３２を補強支持片３１の先端部に、同補強支持片３１とでＬ字状をなすように延出形成する。そして、補強支持片３１及び補助支持片３２の先端内側面（両接触刃１６ａ，  １６ｂ側面）に前側接触片２３及び後側接触片２４にそれぞれ対応するように補強突起４１及び補助突起４２を設ける。補強突起４１の補強支持片３１からの突出高さを補助突起４２の補助支持片３２からの突出高さよりも大きくする。このようにしても、前側接触片２３を後側接触片２４よりも強く補強支持することができる。
【００３４】
・両補強部材１７ａ，  １７ｂをそれぞれ両接触刃１６ａ，  １６ｂの先端から若干突出させてもよい。このようにすれば、両補強部材１７ａ，  １７ｂの突出部分がアーキングホーンとして機能する。
【００３５】
次に、前記実施形態から把握できる請求項記載発明以外の技術的思想について、以下にそれらの効果と共に記載する。
・前記補強支持部材の基端部を、補強部材の前端から後端に向かって上方から下方に傾斜するように折り曲げ形成した請求項２に記載の開閉器の電極構造。このようにすれば、補強支持部材及び補助支持部材の両接触刃に作用する弾性力の強さを、投入動作に伴う両接触刃の互いに離間する長さの大きさに対応して徐々に変化させることができる。
【００３６】
・前記補強部材には、前側接触片及び後側接触片のうち少なくとも前側接触片に対応するように突起を形成し、また、前後両接触片のそれぞれに対応するように突起を形成した場合、前側接触片に対応する側の突起の突出高さが後側接触片に対応する側の突起の突出高さよりも大きくなるようにした請求項１に記載の開閉器の電極構造。このようにしても、前側接触片及び後側接触片の変位量のバランスをとり、固定電極に対して均等な接触圧にて接触させることができる。
【００３７】
【発明の効果】
請求項１に記載の発明によれば、投入時において、前後両接触部が固定電極の両側面に対してほぼ平行状態で接触することにより、両接触刃を固定電極に対して均等な接触圧にて接触させることができる。
【００３８】
請求項２に記載の発明によれば、請求項１に記載の発明の効果に加えて、両接触刃を互いに近接する方向へ付勢するコイルバネ等を組み込む必要がなく、構成を簡単にすることができる。
【００３９】
請求項３に記載の発明によれば、請求項２に記載の発明の効果に加えて、投入時において、互いに離間する方向に最も大きく移動しようとする前側接触部の固定電極との接触部位を効率的に補強支持することができる。
【００４０】
請求項４に記載の発明によれば、請求項３に記載の発明の効果に加えて、前後両接触部の互いに離間する方向への変位量の微妙なバランスをとることができる。
【図面の簡単な説明】
【図１】開閉器の要部正面図。
【図２】投入状態における開閉器の要部下面図。
【図３】可動電極の分解斜視図。
【図４】可動電極及び固定電極の斜視図。
【図５】可動電極の斜視図。
【図６】図１の開放状態における１−１線断面図。
【図７】図１の投入状態における１−１線断面図。
【図８】別の実施形態における補強部材の正面図。
【図９】別の実施形態における補強部材の正面図。
【図１０】（ａ）は、別の実施形態における補強部材の正面図。
（ｂ）は、別の実施形態における補強部材の下面図。
【図１１】従来の開閉器の要部正面図。
【図１２】従来の開閉器の要部平面図。
【図１３】従来の開閉器の要部平面図。
【図１４】従来の補強部材の正面図。
【符号の説明】
１３…固定電極、１３ｂ…通電接触面、１６…可動電極、
１６ａ，  １６ｂ…接触刃、１７…補強部材、２１…接触部、２１ａ…通電面、２３…前側接触片（前側接触部）、２４…後側接触片（後側接触部）、
３４…補強リブ、３０…補強支持部、３１…補強支持片（補強支持部材）、
３２…補助支持片（補助支持部材）、３３…折曲線、４１…補強突起、
４２…補助突起。
【図１】
0003612262.tif 000002
【図２】
0003612262.tif 000003
【図３】
0003612262.tif 000004
【図４】
0003612262.tif 000005
【図５】
0003612262.tif 000006
【図６】
0003612262.tif 000007
【図７】
0003612262.tif 000008
【図８】
0003612262.tif 000009
【図９】
0003612262.tif 000010
【図１０】
0003612262.tif 000011
【図１１】
0003612262.tif 000012
【図１２】
0003612262.tif 000013
【図１３】
0003612262.tif 000014
【図１４】
0003612262.tif 000015